(57)【要約】【課題】排紙トレイに開口部が設けられていると、開口部から用紙カセットの内側に埃や塵が入ってしまい、用紙カセットの内壁や用紙カセットに載置された用紙に埃や塵が付着するという課題がある。【解決手段】用紙カセット２における排出トレイ５には、エッジガイド４０３が対向する領域に位置する開口部５００と、幅方向Ｙにスライドして開口部５００を開閉するカバー５１０と、固定部４０７および操作レバー４０８が対向する領域に位置する開口部５０１と、回動可能に備えられて開口部５０１を開閉するカバー５２０とが設けられる。【選択図】図２
2014076884.tif 000002
【特許請求の範囲】
【請求項１】
記録部によって記録された記録媒体を排出する記録装置に着脱可能に装着される記録媒体カセットであって、
操作部を設け、前記記録部に給送するための第１の記録媒体を載置する第１の載置部と、
前記第１の載置部の上側に位置し、前記操作部が対向する領域に開口部が設けられ、前記記録部から排出された前記第１の記録媒体を載置する記録媒体受け部と、を備え、
前記記録媒体受け部には、前記開口部を開閉するカバーが備えられたことを特徴とする記録媒体カセット。
【請求項２】
請求項１に記載の記録媒体カセットであって、
前記操作部は、前記第１の記録媒体の端部の位置を規制することを特徴とする記録媒体カセット。
【請求項３】
第２の記録媒体を載置する第２の載置部が、前記第１の載置部の下側の位置に、前記第１の載置部より給送方向の長さが長く設けられ、前記第１の載置部は、前記給送方向において前記第２の載置部に対してスライド移動可能に備えられた請求項１または請求項２に記載の記録媒体カセットと、
前記記録媒体カセットの上方に位置し、前記第１の記録媒体および前記第２の記録媒体を給送する給送部と、
前記給送部によって給送された前記第１の記録媒体および前記第２の記録媒体に記録する記録部と、
前記記録部によって記録された前記第１の記録媒体および前記第２の記録媒体を排出する排出部と、を備え、
前記第１の載置部が前記給送方向における上流側の位置にあるとき、前記第２の記録媒体が前記給送部によって給送され、
前記第１の載置部が前記給送方向における下流側の位置にあるとき、前記第１の記録媒体が前記給送部によって給送され、
前記操作部は、前記第２の載置部に対する前記第１の載置部の前記給送方向における位置を規定することを特徴とする記録装置。
【請求項４】
請求項３に記載の記録装置であって、
前記カバーは、前記カバーが前記開口部を閉じた状態において前記記録媒体受け部の載置面より下方に設けられたことを特徴とする記録装置。
【請求項５】
請求項３または請求項４に記載の記録装置であって、
前記カバーは、回動することを特徴とする記録装置。
【請求項６】
請求項３または請求項４に記載の記録装置であって、
前記カバーは、スライドすることを特徴とする記録装置。
【請求項７】
請求項５に記載の記録装置であって、
前記開口部における、前記カバーの回動軸と反対側の縁部に凹部を設け、前記凹部の底面は、前記カバーの上面より下方に位置することを特徴とする記録装置。
【請求項８】
請求項６に記載の記録装置であって、
前記カバーに凹部を設けたことを特徴とする記録装置。
【発明の詳細な説明】
【技術分野】
【０００１】
本発明は、記録媒体カセット、記録装置に関する。
【背景技術】
【０００２】
プリンター、複写機などの記録装置には、装置本体に対して着脱可能な記録媒体カセットを備えたものがある。記録媒体カセットには、用紙などの記録媒体が積載され、最上部の用紙に給送ローラーが回転しながら当接し、装置本体内部に用紙が給送される。
このような記録媒体カセットには、上段トレイ、下段トレイを二段重ね、異なるサイズの用紙や異なる種類の用紙をそれぞれのトレイに載置するものがある。さらに、上段トレイの上方には、記録されて排紙された用紙が載置される排紙トレイを備えた記録媒体カセットがある。
例えば、特許文献１における用紙カセットは、上段トレイ、下段トレイ、排紙トレイを備え、上段トレイは、下段トレイに対してスライド可能にそなえられる。上段トレイには、下段トレイに対する上段トレイの位置を規定するための操作レバーが設けられ、使用者は、操作レバーを操作し、下段トレイに対する上段トレイの位置によって、装置本体内部に給送される用紙を選択する。また、上段トレイや下段トレイには、エッジガイドがスライド可能に備えられ、使用者は、エッジガイドを操作して載置された用紙の下端部の位置を規制する。
排紙トレイには、これらの操作レバーやエッジガイドが露出する開口部が設けられ、使用者は、排紙トレイが上段トレイを覆う状態で、開口部から指を入れて、上段トレイに設けられた操作レバーやエッジガイドを操作することができる。
【先行技術文献】
【特許文献】
【０００３】
【特許文献１】特開２０１２−７６８７１号公報
【発明の概要】
【発明が解決しようとする課題】
【０００４】
しかしながら、排紙トレイに開口部が設けられていると、開口部から用紙カセットの内側に埃や塵が入ってしまい、用紙カセットの内壁や用紙カセットに載置された用紙に埃や塵が付着するという課題がある。
【課題を解決するための手段】
【０００５】
本発明は、上述の課題の少なくとも一部を解決するためになされたものであり、以下の形態または適用例として実現することが可能である。
【０００６】
［適用例１］記録部によって記録された記録媒体を排出する記録装置に着脱可能に装着される記録媒体カセットであって、操作部を設け、前記記録部に給送するための第１の記録媒体を載置する第１の載置部と、前記第１の載置部の上側に位置し、前記操作部が対向する領域に開口部が設けられ、前記記録部から排出された前記第１の記録媒体を載置する記録媒体受け部と、を備え、前記記録媒体受け部には、前記開口部を開閉するカバーが備えられたことを特徴とする記録媒体カセット。
【０００７】
本適用例によれば、記録媒体受け部には、開口部を開閉するカバーが備えられる。これにより、開口部から記録媒体カセットの内側に埃や塵が侵入することを抑制し、記録媒体カセットの内壁や記録媒体カセットに載置された記録媒体に埃や塵が付着することを抑制できる。
【０００８】
［適用例２］前記操作部は、前記第１の記録媒体の端部の位置を規制することを特徴とする上記記録媒体カセット。
【０００９】
本適用例によれば、第１の記録媒体の端部の位置を規制する操作部が露出する開口部から記録媒体カセットの内側に埃や塵が侵入することを抑制する。
【００１０】
［適用例３］第２の記録媒体を載置する第２の載置部が、前記第１の載置部の下側の位置に、前記第１の載置部より給送方向の長さが長く設けられ、前記第１の載置部は、前記給送方向において前記第２の載置部に対してスライド移動可能に備えられた上記記録媒体カセットと、前記記録媒体カセットの上方に位置し、前記第１の記録媒体および前記第２の記録媒体を給送する給送部と、前記給送部によって給送された前記第１の記録媒体および前記第２の記録媒体に記録する記録部と、前記記録部によって記録された前記第１の記録媒体および前記第２の記録媒体を排出する排出部と、を備え、前記第１の載置部が前記給送方向における上流側の位置にあるとき、前記第２の記録媒体が前記給送部によって給送され、前記第１の載置部が前記給送方向における下流側の位置にあるとき、前記第１の記録媒体が前記給送部によって給送され、前記操作部は、前記第２の載置部に対する前記第１の載置部の前記給送方向における位置を規定することを特徴とする記録装置。
【００１１】
本適用例によれば、第２の載置部に対する第１の載置部の位置を規定する操作部が露出する開口部から記録媒体カセットの内側に埃や塵が侵入することを抑制する。
【００１２】
［適用例４］前記カバーは、前記カバーが前記開口部を閉じた状態において前記記録媒体受け部の載置面より下方に設けられたことを特徴とする上記記録装置。
【００１３】
本適用例によれば、記録装置から排出された記録媒体がカバーに衝突し、停止したり、湾曲してしまったりすることを抑制できる。
【００１４】
［適用例５］前記カバーは、回動することを特徴とする上記記録装置。
【００１５】
本適用例によれば、開口部をカバーによって開閉できる。
【００１６】
［適用例６］前記カバーは、スライドすることを特徴とする上記記録装置。
【００１７】
本適用例によれば、開口部をカバーによって開閉できる。
【００１８】
［適用例７］前記開口部における、前記カバーの回動軸と反対側の縁部に凹部を設け、前記凹部の底面は、前記カバーの上面より下方に位置することを特徴とする上記記録装置。
【００１９】
本適用例によれば、カバーの側面に指が当接できるので、使用者は、カバーを容易に回動させることができる。
【００２０】
［適用例８］前記カバーに凹部を設けたことを特徴とする上記記録装置。
【００２１】
本適用例によれば、使用者は、凹部を指でスライド方向に押圧すれば、指がカバーに対して滑ることが抑制されるので、使用者は、カバーを容易にスライドさせることができる。
【図面の簡単な説明】
【００２２】
【図１】プリンターの概略構成を示す模式図。
【図２】用紙カセットの斜視図。
【図３】（ａ）は、カバーの斜視図、（ｂ）は、排出トレイに備えられたカバーを示す斜視図。
【図４】（ａ）は、カバーの斜視図、（ｂ）は、排出トレイに設けられた開口部を示す斜視図。
【図５】（ａ）は、排出トレイに備えられたカバーを示す斜視図、（ｂ）は、排出トレイに凹部が形成された部分の断面図。
【図６】操作レバーの操作によって、揺動部材が揺動し、摺動部材が移動する機構を説明するための斜視図。
【図７】連結部の部分を拡大した斜視図。
【図８】用紙カセットの斜視図。
【図９】実施形態２における用紙カセットの概略斜視図。
【発明を実施するための形態】
【００２３】
（実施形態１）
以下、本発明の実施の形態を図面に基づいて説明する。図１（ａ）、（ｂ）は、本発明に係る記録装置の一例であるプリンター１の概略構成を示す模式図である。記録媒体カセットとしての用紙カセット２は、プリンター１の筐体２３の底部に着脱可能に装着される。用紙カセット２は、第１の記録媒体としての用紙Ｐ２を載置する第１の載置部としての上段トレイ４、第２の記録媒体としての用紙Ｐ１を載置する第２の載置部としての下段トレイ３を備える。
【００２４】
用紙Ｐ２は、はがきなどの用紙であり、用紙Ｐ１は、用紙Ｐ２と比較して大きいサイズのＡ４、Ｂ５サイズなどの用紙である。尚、用紙サイズはこれに限定されるものでなく、上段トレイ４に載置される用紙サイズは、下段トレイ３に載置される用紙サイズよりも小さなサイズであれば良い。
【００２５】
上段トレイ４は、下段トレイ３に対して給送方向Ｘにおいてスライド移動する。図１（ａ）は、上段トレイ４が、下段トレイ３に対して給送方向Ｘにおける上流側にあるときを示す。図１（ｂ）は、上段トレイ４が、下段トレイ３に対して給送方向Ｘにおける下流側にあるときを示す。
【００２６】
給送ローラー２２は、揺動軸２０を有して揺動するアーム２１に備えられる。図１（ａ）の上段トレイ４が、下段トレイ３に対して給送方向Ｘにおける上流側にあるとき、給送ローラー２２が回転しながら積層された用紙Ｐ１の最上部に当接することにより、用紙Ｐ１は、給送方向Ｘ下流側に給送される。図１（ｂ）の上段トレイ４が、下段トレイ３に対して給送方向Ｘにおける下流側にあるとき、給送ローラー２２が回転しながら積層された用紙Ｐ２の最上部に当接することにより、用紙Ｐ２は、給送方向Ｘ下流側に給送される。すなわち、上段トレイ４の給送方向Ｘにおける位置によって、用紙Ｐ１または用紙Ｐ２を選択することができる。
【００２７】
傾斜面３００は、下段トレイ３に設けられ、複数の用紙Ｐ１，Ｐ２が重なって給送されたときに、分離するために設けられる。傾斜面３００を通過した用紙Ｐ１，Ｐ２は、搬送用駆動ローラー１０と搬送用従動ローラー１１とのローラー対および搬送用駆動ローラー１３と搬送用従動ローラー１４とのローラー対によって搬送経路１２を搬送され、液体としてのインクを噴射する記録ヘッド１６と媒体支持部１７との間に送られる。なお、用紙の重送を防止する防止構造は、プリンター１の装置本体側に設けても良い。
【００２８】
キャリッジ１５は、用紙Ｐ１，Ｐ２の幅方向Ｙ（図面垂直方向）へ延設されたガイド軸（図示せず）に案内されながら移動手段（図示せず）の動力によって幅方向Ｙに往復移動するように構成されている。記録ヘッド１６は、キャリッジ１５に設けられており、インクを用紙Ｐ１，Ｐ２に対して吐出することができるように設けられている。
【００２９】
媒体支持部１７は、記録ヘッド１６と対向する位置に設けられ、用紙Ｐ１，Ｐ２を支持し、用紙Ｐ１，Ｐ２と記録ヘッド１６との間の距離を所定の間隔にすることができるように構成されている。
【００３０】
排出用駆動ローラー１８と排出用従動ローラー１９とのローラー対は、記録ヘッド１６によって記録された用紙Ｐ１，Ｐ２を記録媒体受け部としての排出トレイ５へ送ることができるように設けられている。スタッカー６は、筐体２３に設けられた開口部２４から突出して排出トレイ５に備えられ、排出トレイ５とともに、排出された用紙Ｐ３，Ｐ４を載置する。尚、スタッカー６は設けず、排出トレイ５のみで構成しても良い。
【００３１】
本実施形態の給送部３０は、揺動軸２０、アーム２１、給送ローラー２２を含んで構成され、記録部４０は、キャリッジ１５、記録ヘッド１６、媒体支持部１７を含んで構成され、排出部５０は、排出用駆動ローラー１８と排出用従動ローラー１９とのローラー対を含んで構成される。尚、本実施形態の記録部４０は、インクを吐出するインクジェット式の記録ヘッド１６を備えたが他の構成でもよい。例えば、トナーを用紙Ｐ１，Ｐ２に付着させ、熱と圧力をかけて用紙Ｐに記録する所謂、レーザープリンターの構成でもよい。
【００３２】
図２（ａ）、（ｂ）は、用紙カセット２の斜視図である。図２（ａ）は、上段トレイ４が下段トレイ３に対して給送方向Ｘ上流側の位置にあるときを示し（図１（ａ）参照）、図２（ｂ）は、上段トレイ４が下段トレイ３に対して給送方向Ｘ下流側の位置にあるときを示す（図１（ｂ）参照）。
【００３３】
図２（ａ）の下段トレイ３の第２の載置面としての載置面３０８には、用紙Ｐ１が載置される。用紙Ｐ１の幅方向Ｙの両端部の位置は、一対のエッジガイド３０５によって規制され、用紙Ｐ１の給送方向Ｘ上流側の端部の位置は、エッジガイド３０９（図８（ｂ）参照）によって規制される。
【００３４】
図２（ａ）の下段トレイ３の給送方向Ｘの下流側の壁部３０７には、一対の凹部３０４が形成され、図２（ｂ）の上段トレイ４が給送方向Ｘの下流側の位置にあるとき、上段トレイ４の給送方向Ｘの下流側に設けられた一対の突出部４１１が挿入する。
【００３５】
前述したように、下段トレイ３の給送方向Ｘの下流側の壁部３０７には、傾斜面３００が設けられ、図１（ａ）、（ｂ）の給送ローラー２２によって給送されるときに重送された用紙Ｐ１，Ｐ２を分離する。
【００３６】
載置面３０８の鉛直方向Ｚにおける上方（以降は、上方という）には、スライド部４００と、載置部４０１とによって構成される上段トレイ４が位置する。上段トレイ４は、排出トレイ５の鉛直方向Ｚにおける下方（以降は、下方という）に位置する。載置部４０１における、給送方向Ｘにおける上流側の端部４０１ａ、幅方向Ｙにおける両側の端部４０１ｂ，４０１ｃを破線で示す。
【００３７】
載置部４０１は、回動軸Ｓ２を有し、スライド部４００に対して回動可能に連結される。下段トレイ３の幅方向Ｙにおける両側の壁部３０６には、ガイドレール３０１が給送方向Ｘに延設される。また、幅方向Ｙにおける両側の壁部３０６には、給送方向Ｘに延びる開口部３１０が設けられる。
【００３８】
スライド部４００の幅方向Ｙの両側に設けられ、幅方向Ｙの外側に突出する突出部４１０は、開口部３１０を貫通した状態で、ガイドレール３０１と給送方向Ｘに摺動する。このような構成により、載置部４０１は、用紙Ｐ２を水平状態に載置した状態で、給送方向Ｘに移動する。
【００３９】
排出トレイ５には、開口部５００が設けられる。開口部５００は、図２（ｂ）に示す上段トレイ４が給送方向Ｘにおける下流側の位置にあるときに、エッジガイド４０３と対向する位置にある。排出トレイ５には、開口部５００を開閉するカバー５１０が備えられる。これにより、カバー５１０を開けた状態で開口部５００にエッジガイド４０３が露出する。
【００４０】
図３（ａ）は、カバー５１０の斜視図である。カバー５１０には、凹部５１１が形成される。凹部５１１の底面５１１ａは、カバー５１０の上面５１０ａより下方にある。これにより、排出部５０から排出された図１（ａ）、（ｂ）の用紙Ｐ３，Ｐ４がカバー５１０に衝突して湾曲したり、停止したりすることを抑制できる。従って、排出された用紙Ｐ３，Ｐ４を、図２（ａ）、（ｂ）の排出トレイ５における載置面５０２に載置できる。
【００４１】
図３（ｂ）は、排出トレイ５に備えられたカバー５１０を示す斜視図である。開口部５００の給送方向Ｘにおける上流側と下流側には、幅方向Ｙに延設された溝部５０４が形成される。使用者は、指の先を凹部５１１の底面５１１ａに当接させながら、溝部５０４に沿ってカバー５１０を幅方向Ｙにスライドさせ、開口部５００を開閉することができる。
【００４２】
カバー５１０の上面５１０ａは、載置面５０２より下方に位置する。これにより、プリンター１の排出部５０から排出された用紙Ｐ３，Ｐ４がカバー５１０に衝突し、停止したり、湾曲してしまったりすることを抑制できる。
【００４３】
図２（ｂ）に示すように、上段トレイ４の載置面４０９には、用紙Ｐ２が載置される。用紙Ｐ２における幅方向Ｙの両端部の位置は、一対のエッジガイド４０２によって規制され、用紙Ｐ２の給送方向Ｘ上流側の端部の位置は、カバー５１０を開けた状態で開口部５００に露出するエッジガイド４０３によって規制される。
【００４４】
また、排出トレイ５には、開口部５０１を開閉するカバー５２０が備えられる。図４（ａ）は、カバー５２０の斜視図である。カバー５２０は、一対の軸受け部５２３を端部にそれぞれ設けた一対の支持部５２２を有する。
【００４５】
図４（ｂ）は、排出トレイ５に設けられた開口部５０１を示す斜視図である。開口部５０１の幅方向Ｙにおける図面右側には、一対の軸部５２４が設けられる。図５（ａ）は、排出トレイ５に備えられたカバー５２０を示す斜視図である。カバー５２０の軸受け部５２３に軸部５２４が挿入された状態で、カバー５２０は、回動軸Ｓ３を支点として回動方向Ｄ３に回動する。
【００４６】
開口部５０１の幅方向Ｙにおける回動軸Ｓ３と反対側の縁部には、凹部５２１が形成される。図５（ｂ）は、給送方向Ｘ方向から見た図で、図５（ａ）の排出トレイ５に凹部５２１が形成された位置Ａ−Ａ´に示す部分の断面図である。
【００４７】
カバー５２０の上面５２０ａは、載置面５０２より下方に位置する。これにより、プリンター１の排出部５０から排出された用紙Ｐ３，Ｐ４がカバー５２０に衝突し、停止したり、湾曲してしまったりすることを抑制できる。
【００４８】
また、凹部５２１の底面５２１ａは、カバー５２０の上面５２０ａより下方に位置する。これにより、使用者は、指の先端部を凹部５２１に差し入れ、カバー５２０の側面５２０ｂに当接させながら、カバー５２０を回動させることができる。
【００４９】
図２（ａ）、（ｂ）の上段トレイ４に設けられた固定部４０７と操作レバー４０８とが、カバー５２０を開けた状態で、排出トレイ５に設けられた開口部５０１に露出する。固定部４０７は、載置部４０１に固定される。操作レバー４０８は、載置部４０１に対して給送方向Ｘにおいてスライド可能に備えられる。使用者が、固定部４０７と操作レバー４０８とを指で摘むと、揺動部材４０６が揺動し、摺動部材４０４が幅方向Ｙに移動する。
【００５０】
図６は、上述の操作レバー４０８の操作によって、揺動部材４０６が揺動し、摺動部材４０４が移動する機構を説明するための斜視図である。図６は、使用者が、固定部４０７と操作レバー４０８とを指で摘んでいるときの状態を示す。
【００５１】
揺動部材４０６は、一方の端部４０６ｂが摺動部材４０４に設けられた突出部４０４ｂ，４０４ｃによって規制される回動範囲において、回動軸Ｓ４を回動支点として回動可能に備えられる。揺動部材４０６の他方の端部４０６ａは、操作レバー４０８を設けた連結レバー４１２の係合部４１２ａと係合する。
【００５２】
使用者が、図２（ａ）、（ｂ）の固定部４０７と操作レバー４０８とを指で摘むと、操作レバー４０８は、給送方向Ｘ上流側にスライドする。すると、図６の揺動部材４０６は、連結レバー４１２を介して回動軸Ｓ４を回動支点として反時計方向Ｄ４に回動し、揺動部材４０６の端部４０６ｂは、摺動部材４０４に設けられた突出部４０４ｂを幅方向Ｙにおける内側方向Ｙ１に押圧する。
【００５３】
これにより、摺動部材４０４は、内側方向Ｙ１に移動し、摺動部材４０４の端部４０４ａは、図２（ａ）、（ｂ）に示す下段トレイ３の壁部３０６に形成された貫通孔３０２，３０３から離脱した状態になり、上段トレイ４の給送方向Ｘの移動が可能になる。
【００５４】
摺動部材４０４は、バネ部材４０５によって幅方向Ｙにおける外側方向Ｙ２に付勢されている。そのため、使用者が、固定部４０７と操作レバー４０８とを指で摘んでいない状態では、摺動部材４０４は、外側方向Ｙ２に移動し、摺動部材４０４の端部４０４ａが、貫通孔３０２，３０３に挿入し、上段トレイ４の給送方向Ｘにおける移動が規制される。
【００５５】
また、揺動部材４０６の端部４０６ｂが突出部４０４ｂに外側方向Ｙ２に押圧されるので、揺動部材４０６は、時計方向Ｄ５に回動し、操作レバー４０８は、連結レバー４１２を介して給送方向Ｘ下流側にスライドする。
【００５６】
使用者は、固定部４０７を支点として操作レバー４０８を摘んで操作することにより、上段トレイ４を給送方向Ｘに移動させた後、摺動部材４０４の端部４０４ａを、給送方向Ｘ上流側にある貫通孔３０２に貫通させるか、給送方向Ｘ下流側にある貫通孔３０３に貫通させるかによって、下段トレイ３に対する上段トレイ４の位置を規定することができる。
【００５７】
排出トレイ５の載置面５０２には、図１（ａ）、（ｂ）の排出用駆動ローラー１８と排出用従動ローラー１９とによって排出された用紙Ｐ３，Ｐ４が載置される。
【００５８】
排出トレイ５の給送方向Ｘの上流側には、板状のスタッカー６がスライド可能に収容され、スタッカー６を排出トレイ５から引き出した状態において、排出された用紙Ｐ３，Ｐ４の給送方向Ｘの上流側を支持することができる。
【００５９】
用紙カセット２の給送方向Ｘの上流側の端部には、回動軸Ｓ１を有し、下段トレイ３に対して排出トレイ５を回動可能に連結する一対の連結部７が設けられる。図７（ａ）、（ｂ）は、連結部７の部分を拡大した斜視図である。
【００６０】
図７（ａ）は、図２（ａ）、（ｂ）の排出トレイ５が下段トレイ３の一部を覆う状態すなわち載置面５０２が水平状態にある。排出トレイ５には、載置面５０２から鉛直方向Ｚにおける下側に形成された段差部５０３から給送方向Ｘの上流側に突出する突出部７０４が形成される。下段トレイ３の給送方向Ｘの上流側の壁部７１０には、固定部７００が設けられる。突出部７０４は、固定部７００に対して回動軸Ｓ１によって回動可能に連結される。
【００６１】
回動部材７０１は、突出部７０４に固定され、突出部７０４の回動に伴って回動する。回動部材７０１には、外周側に突出する係合部７０２が設けられる。固定部７００には、幅方向Ｙの外側に突出する被係合部７０３が設けられる。
【００６２】
図７（ｂ）は、図７（ａ）、図２（ａ）の排出トレイ５を回動方向Ｄ１に回動させ、下段トレイ３が露出する状態にある。図７（ｂ）の回動部材７０１の係合部７０２は、被係合部７０３に当接して係合する。これにより、排出トレイ５の回動が規制される。
【００６３】
図８（ａ）は、上段トレイ４に用紙Ｐ２を載置する状態における用紙カセット２の斜視図である。図２（ａ）の状態にある排出トレイ５の回動軸Ｓ１を回動支点として回動方向Ｄ１（排出トレイ５が載置面３０８から離れる回動方向）に回動させると、図８（ａ）に示すように、上段トレイ４が露出する状態となる。すなわち図８（ａ）の状態では、載置面４０９の上方に排出トレイ５が位置しない。そのため、使用者が、載置面４０９に用紙Ｐ２を載置する作業を容易にできる。
【００６４】
図８（ｂ）は、下段トレイ３に用紙Ｐ１を載置する状態における用紙カセット２の斜視図である。図８（ａ）の状態にある上段トレイ４を給送方向Ｘ下流側の位置にスライド移動させ、回動軸Ｓ２を載置面３０８における給送方向Ｘ下流側の端部の位置に移動させる。そして、載置部４０１を、回動軸Ｓ２を支点として回動方向Ｄ２（載置部４０１が載置面３０８から離れる回動方向）に回動させると、図８（ｂ）に示す状態となる。
【００６５】
図８（ｂ）の状態では、下段トレイ３の載置面３０８が露出する領域が広い状態にある。また、載置面３０８の給送方向Ｘにおける中央部における上方に排出トレイ５や上段トレイ４が位置することにより、上から見たときに載置面３０８が給送方向Ｘにおいて分断されることがない。そのため、使用者が、載置面３０８に用紙Ｐ１を載置する作業を容易にできる。
【００６６】
以上、本実施形態で説明した記録媒体カセットとしての図２（ａ）、（ｂ）の用紙カセット２は、第１の記録媒体としての用紙Ｐ２を載置する載置面４０９を有する第１の載置部としての上段トレイ４と、上段トレイ４の鉛直方向Ｚにおける下側に位置し、第２の記録媒体としての用紙Ｐ１を載置する第２の載置部としての下段トレイ３と、上段トレイ４の鉛直方向Ｚにおける上側に位置し、プリンター１の記録部４０によって記録され、排出部５０から排出された用紙Ｐ３，Ｐ４が載置される記録媒体受け部としての排出トレイ５を備える。
【００６７】
上段トレイ４は、下段トレイ３に対して給送方向Ｘに移動可能に備えられる。上段トレイ４は、用紙Ｐ２の給送方向Ｘ上流側の端部の位置を規制する操作部としてのエッジガイド４０３や、下段トレイ３に対する上段トレイ４の位置を規定する操作部としての、固定部４０７および操作レバー４０８を備える。
【００６８】
そして、排出トレイ５には、排出トレイ５が上段トレイ４を覆う状態において、エッジガイド４０３が対向する領域に位置する開口部５００が設けられ、排出トレイ５は、幅方向Ｙにスライドして開口部５００を開閉するカバー５１０を備える。また、排出トレイ５には、固定部４０７および操作レバー４０８が対向する領域に位置する開口部５０１が設けられ、排出トレイ５は、回動可能に備えられて開口部５０１を開閉するカバー５２０を備える。
【００６９】
この構成によれば、開口部５００，５０１から用紙カセット２の内側に埃や塵が侵入することを抑制し、用紙カセット２の内壁や用紙カセット２に載置された用紙Ｐ１，Ｐ２に埃や塵が付着することを抑制できる。
【００７０】
また、カバー５１０，５２０は、載置面５０２より下方に設けられる。これにより、プリンター１の排出部５０から排出された用紙Ｐ３，Ｐ４がカバー５１０，５２０に衝突し、停止したり、湾曲してしまったりすることを抑制できる。（図３（ｂ）、図５（ａ）参照）。
【００７１】
また、図５（ａ）の開口部５０１の載置面５０２側における、カバー５２０の回動軸Ｓ３と反対側の縁部に凹部５２１が設けられ、図５（ｂ）の凹部５２１の底面５２１ａは、カバー５２０の上面５２０ａより下方に位置する。これにより、カバー５２０の側面５２０ｂに指が当接できるので、使用者は、カバー５２０を容易に回動させることができる。
【００７２】
また、図３（ｂ）のカバー５１０の載置面５０２側に凹部５１１が設けられる。これにより、使用者が指を凹部５１１に当接させて幅方向Ｙに押圧させるとき、指がカバー５１０に対して滑ることが抑制されるので、使用者は、カバー５１０を容易にスライドさせることができる。
【００７３】
（実施形態２）
実施形態１では、第１の載置部としての上段トレイ４の鉛直方向Ｚにおける下側に第２の載置部としての下段トレイ３を備えた用紙カセット２について説明したが、実施形態２では、第２の載置部としてのトレイを備えずに、第１の載置部としてのトレイを備えた用紙カセットについて説明する。図９は、実施形態２における用紙カセット１００の概略斜視図である。本実施形態の記録装置としてのプリンターには、実施形態１で説明した給送部３０、記録部４０、排出部５０が備えられる。
【００７４】
記録媒体カセットとしての用紙カセット１００は、給送部３０に給送される第１の記録媒体としての用紙Ｐ５を載置する載置面１０２を有する第１の載置部としての給送トレイ１０１を備える。用紙カセット１００には、操作部として、用紙Ｐ５の幅方向Ｙの端部の位置を規制するエッジガイド１０４，１０５、用紙Ｐ５の給送方向Ｘ上流側の端部の位置を規制するエッジガイド１０３が備えられる。
【００７５】
給送トレイ１０１の鉛直方向Ｚにおける上側には、記録媒体受け部としての排出トレイ１１０が備えられる。排出トレイ１１０には、記録部４０によって記録され、排出部５０から排出された用紙が載置される載置面１１７が設けられる。排出トレイ１１０は、給送トレイ１０１に対して回動軸Ｓ５を支点として回動可能に備えられる。排出トレイ１１０には、排出トレイ１１０が給送トレイ１０１を覆う状態において、エッジガイド１０３と対向する領域に開口部１１１が設けられ、排出トレイ１１０は、開口部１１１を開閉するカバー１１４を備える。
【００７６】
また、排出トレイ１１０には、開口部１１２，１１３が設けられ、排出トレイ１１０は、開口部１１２，１１３を開閉するカバー１１５，１１６を備える。排出トレイ１１０が給送トレイ１０１を覆い、カバー１１５，１１６が開いた状態において、エッジガイド１０４，１０５の一部が露出する。使用者は、エッジガイド１０４，１０５を操作し、用紙Ｐ５の端部の位置を規制する。
【００７７】
このような構成により、排出トレイ１１０が給送トレイ１０１を覆う状態において、カバー１１４，１１５，１１６を閉じると、用紙カセット１００の内壁や用紙Ｐ５に埃や塵が付着することを抑制できる。
【符号の説明】
【００７８】
１…プリンター、２，１００…用紙カセット、３…下段トレイ、４…上段トレイ、５，１１０…排出トレイ、１５…キャリッジ、１６…記録ヘッド、１７…媒体支持部、１８…排出用駆動ローラー、１９…排出用従動ローラー、２０…揺動軸、２１…アーム、２２…給送ローラー、３０…給送部、４０…記録部、５０…排出部、１０１…給送トレイ、１０２，１１７，３０８，４０９，５０２…載置面、１０３，１０４，１０５，３０５，３０９，４０２，４０３…エッジガイド、１１１，１１２，１１３，５００，５０１…開口部、１１４，１１５，１１６，５１０，５２０…カバー、４０７…固定部、４０８…操作レバー、Ｘ…給送方向、Ｚ…鉛直方向、Ｐ１〜Ｐ５…用紙、Ｓ１〜Ｓ５…回動軸。
【図１】
2014076884.tif 000003
【図２】
2014076884.tif 000004
【図３】
2014076884.tif 000005
【図４】
2014076884.tif 000006
【図５】
2014076884.tif 000007
【図６】
2014076884.tif 000008
【図７】
2014076884.tif 000009
【図８】
2014076884.tif 000010
【図９】
2014076884.tif 000011